(57)【要約】【課題】衛生面に優れ、発錆が防止され、塵埃進入防止や殺菌も可能な衛生管理強化型点検容易な水潤滑式オイルフリーコンプレッサを提供する。【解決手段】水循環式コンプレッサの表面パネル１は勿論、その内部に収納されている複数の構成要素の中のステンレス化が可能な部分をすべてステンレス材とする。これにより、発錆防止の大幅の効果が上げられる。【選択図】図３
0003103372.tif 000002
【実用新案登録請求の範囲】
【請求項１】
サニタリ仕様の水循環式コンプレッサであって、該コンプレッサは、その表面パネル及び内部の構成部材がステンレス材からなることを特徴とする衛生管理強化型点検容易な水潤滑式オイルフリーコンプレッサ。
【請求項２】
前記内部の構成部材の内、鉄，青鋼イモノ，銅から構成される部材及び部品がステンレス材からなることを特徴とする請求項１に記載の衛生管理強化型点検容易な水潤滑式オイルフリーコンプレッサ。
【請求項３】
前記表面パネルに形成されている空気の入口及び出口には、外気の直接接触を防止するためのステンレスフードが設けられることを特徴とする請求項１又は２に記載の衛生管理強化型点検容易な水潤滑式オイルフリーコンプレッサ。
【請求項４】
前記ステンレスフードには、塵埃防止，殺菌用のフィルタが設けられることを特徴とする請求項３に記載の衛生管理強化型点検容易な水潤滑式オイルフリーコンプレッサ。
【考案の詳細な説明】
【技術分野】
【０００１】
本考案は、特に衛生管理を必要とする場所に使用される水循環式コンプレッサに係り、特に、その構成部材の大部分がステンレス材から形成され、生物的危害，有害衛生物の混入防止，物理的危害，異物混入防止，科学的危害，化学薬品の混入回避等の可能な衛生管理強化型点検容易な水潤滑式オイルフリーコンプレッサに関する。
【背景技術】
【０００２】
コンプレッサは圧縮空気を必要とするすべての場所に使用されているが、特に、油使用を禁ずる場所においては水循環式コンプレッサが用いられている。この水循環式コンプレッサは冷却手段として水を使用するので、各部の発錆を防止する手段が採用されている。このため、発錆の少ない銅材や青鋼イモノ等が用いられ、ステンレス材も使用されている。一方、衛生管理を特に必要とする病院等では、水循環式コンプレッサの仕様では不十分であり、衛生面に深く配慮したコンプレッサが要請される。しかしながら、従来技術ではこの要請に答える仕様のコンプレッサは無かった。
【考案の開示】
【考案が解決しようとする課題】
【０００３】
前記のように、病院等に使用されるコンプレッサは、水循環式のものが必要であることは勿論であるが、更に、安全性を重視する必要性が高く、特に発錆の生じないものや、生物的，物理的，科学的，化学的の危害の少ない構造のコンプレッサが要請される。このため、コンプレッサの全体構造を安全性や衛生面からすべて見直すことが必要であるが、従来鉄や銅及び青鋼イモノ等を用いていた構成部材をステンレス材とすることがさし当りまず必要である。勿論、前記危害防止用の構成にすべてを変更することは必要である。
【０００４】
本考案は、以上の要請の内、ステンレス材に変更できる部分をステンレス化し、それに伴って可能な限り、安全性，衛生面の向上を図るようにした衛生管理強化型点検容易な水潤滑式オイルフリーコンプレッサを提供することを目的とする。
【課題を解決するための手段】
【０００５】
本考案は、以上の目的を達成するために請求項１の考案は、サニタリ仕様の水循環式コンプレッサであって、該コンプレッサは、その表面パネル及び内部の構成部材がステンレス材からなることを特徴とする。
【０００６】
また、請求項２の考案は、前記内部の構成部材の内、鉄，青鋼イモノ，銅から構成される部材及び部品がステンレス材からなることを特徴とする。
【０００７】
また、請求項３の考案は、前記表面パネルに形成されている空気の入口及び出口には、外気の直接接触を防止するためのステンレスフードが設けられることを特徴とする。
【０００８】
また、請求項４の考案は、前記ステンレスフードには、塵埃防止，殺菌用のフィルタが設けられることを特徴とする。
【考案の効果】
【０００９】
請求項１の衛生管理強化型点検容易な水潤滑式オイルフリーコンプレッサによれば、コンプレッサを構成するほぼすべての部材や部品がステンレス化されるため絶大の発錆防止の効果が挙げられる。
【００１０】
また、請求項２の衛生管理強化型点検容易な水潤滑式オイルフリーコンプレッサによれば、購入部品や機能上、ステンレス化が難しい部材や部品で鉄，青鋼イモノ，銅で形成されていたものはすべてステンレス化するため、従来に較べて大きな発錆防止効果が上げられ、衛生面の大幅な向上が図れる。
【００１１】
また、請求項３の衛生管理強化型点検容易な水潤滑式オイルフリーコンプレッサによれば、表面パネルの出入口は外気に直接触れるため発錆し易く、ステンレス化でも不十分な場合があるが、ここにステンレスフードを用いることにより、その問題点が解決される。
【００１２】
また、請求項４の衛生管理強化型点検容易な水潤滑式オイルフリーコンプレッサによれば、ステンレスフード内に塵埃防止や殺菌用のフィルタを設けることにより、衛生面の向上が図れる。
【考案を実施するための最良の形態】
【００１３】
以下、本考案の衛生管理強化型点検容易な水潤滑式オイルフリーコンプレッサの実施の形態を図面を参照して詳述する。図１は定置式水循環式コンプレッサの外観構造を示すものである。コンプレッサ本体やその附属構成部材は図示のような形状の表面パネル１により被包される。この表面パネル１は例えば長方形状のものからなり、六面の平板からなり、その一部には空気吸入部２と空気出口部３が形成される。本実施例では、前記平板はすべてステンレス板からなる。一方、空気吸入部２や空気出口部３は格子状や網目状のものからなり、これ等もすべてステンレス材から形成される。以上の構造により表面パネル１の発錆度が大幅に低減することになる。
【００１４】
図２は表面パネル１内に収納されている水循環式コンプレッサの構成要素の主なるものをブロック図的に表現したものである。構成要素としては、コンプレッサ本体のエアエンド４と、タンク５と、エアクリーナ６と、フィルタ７と、ドライヤ８と、水クーラ９等とからなり、これ等は配管等１０により、互いに、又は夫々連結されている。これ等の構成要素としては、その外板についてはすべてステンレス材で作成することが可能であるが、内部構造としては機能上、ステンレス材にすることが難しい部材である。本考案は、ステンレス材に変換可能な部分はすべてステンレス材から形成するようにしている。また、配管等１０は、主として銅材やビニール等が使用されているが、銅材の部分はすべてステンレス材にするようにしている。また、エアモード４の中で青鋼イモノからなるものについてもステンレス鋳物を用いるようにしている。以上により、本考案の衛生管理強化型点検容易な水潤滑式オイルフリーコンプレッサは主要部分が全てステンレス材から構成され、発錆防止の効果を大幅に上げることができる。
【実施例１】
【００１５】
図３は本考案の衛生管理強化型点検容易な水潤滑式オイルフリーコンプレッサの１つの実施例を説明する。図１に示したように、表面パネル１の出入口の部分は格子状や網目状の蓋体からなるが、この部分をステンレス化しても塵埃出入防止の効果はなく、かつ殺菌性の効果もない。本実施の形態はこれ等の問題点を解決する１つの実施例を示すものである。即ち、表面パネル１の空気出口部３にはこれを覆うステンレスフード１１が設けられている。ステンレスフード１１は両端側を開口した筒体状のものからなり、基端側の開口部１１ａは空気出口部３に連結され、他端側の開口部１１ｂは大気側に開放される。なお、基端側の開口部１１ａと空気出口部３とのかんは図略のシール材によりシールされる。一方、ステンレスフード１１の内部には塵埃吸着機能と殺菌機能を有するフィルタ１２が設けられている。このフィルタ１２も母材としてはステンレス材を使用する。以上の構造により、空気出口部３からの空気はステンレスフード１１の中を通り、フィルタ１２により塵埃除去及び殺菌されて他端側の開口部１１ｂから外気側に放出されることになる。
【００１６】
以上のステンレスフード１１は空気出口部３にのみについて採用したが、これに限定するものではなく空気吸入部２やその他の構成要素にも当然適用される。
【産業上の利用可能性】
【００１７】
本考案の衛生管理強化型点検容易な水潤滑式オイルフリーコンプレッサに適用されるが、勿論これに限定するものではなく、安全性，衛生向上，殺菌性向上を目的とするその他の構成部に対しても同様に広く適用される。
【図面の簡単な説明】
【００１８】
【図１】本考案の水循環式コンプレッサの表面パネルの概要構造を示す斜視図。
【図２】水循環式コンプレッサの表面パネル内部に収納されている構成要素を示すブロック図。
【図３】本考案の実施例を示す模式図。
【符号の説明】
【００１９】
１      表面パネル
２      空気吸入部
３      空気出口部
４      エアエンド
５      タンク
６      エアクリーナ
７      フィルタ
８      ドライヤ
９      水クーラ
１０    配管等
１１    ステンレスフード
１１ａ  開口部
１１ｂ  開口部
１２    フィルタ
【図１】
0003103372.tif 000003
【図２】
0003103372.tif 000004
【図３】
0003103372.tif 000005
【手続補正書】
【提出日】平成16年4月12日(2004.4.12)
【手続補正１】
【補正対象書類名】実用新案登録請求の範囲
【補正対象項目名】全文
【補正方法】変更
【補正の内容】
【実用新案登録請求の範囲】
【請求項１】
サニタリ仕様の水循環式コンプレッサであって、該コンプレッサは、エアエンドやこれに付設される構成要素を内部に収納する略密閉式の表面パネルを有するものからなり、前記表面パネルに開口形成されている空気吸入部及び空気出口部にはこれを閉止するフードが着脱可能に固定され、前記フードの開口部は地面側を向いて開口し、前記開口部の近傍にはフィルタが着脱可能に設けられていることを特徴とする衛生管理強化型点検容易な水潤滑式オイルフリーコンプレッサ。
【請求項２】
前記エアエンド及び前記構成要素を構成する部品の内、鉄，青銅イモノ，銅からなる部品がステンレス材からなることを特徴とする請求項１に記載の衛生管理強化型点検容易な水潤滑式オイルフリーコンプレッサ。
【請求項３】
前記表面パネル及びフード及びフィルタがステンレス材からなることを特徴とする請求項１に記載の衛生管理強化型点検容易な水潤滑式オイルフリーコンプレッサ。
【請求項４】
前記フィルタが、殺菌処理されたものからなることを特徴とする請求項３に記載の衛生管理強化型点検容易な水潤滑式オイルフリーコンプレッサ。
【手続補正２】
【補正対象書類名】明細書
【補正対象項目名】全文
【補正方法】変更
【補正の内容】
【考案の詳細な説明】
【技術分野】
【０００１】
本考案は、特に衛生管理を必要とする場所に使用される水循環式コンプレッサに係り、特に、その構成部材の大部分がステンレス材から形成され、生物的危害，有害衛生物の混入防止，物理的危害，異物混入防止，科学的危害，化学薬品の混入回避水洗時の水浸入防止等の可能な衛生管理強化型点検容易な水潤滑式オイルフリーコンプレッサに関する。
【背景技術】
【０００２】
コンプレッサは圧縮空気を必要とするすべての場所に使用されているが、特に、油使用を禁ずる場所においては水循環式コンプレッサが用いられている。この水循環式コンプレッサは冷却手段として水を使用するので、各部の発錆を防止する手段が採用されている。このため、発錆の少ない銅材や青鋼イモノ等が用いられ、ステンレス材も使用されている。一方、衛生管理を特に必要とする病院等では、水循環式コンプレッサの仕様では不十分であり、衛生面に深く配慮したコンプレッサが要請される。しかしながら、従来技術ではこの要請に答える仕様のコンプレッサは無かった。また、従来の水循環式コンプレッサは表面パネルで覆われているものもあるが、水洗い時には内部に水が浸入し、発錆の原因となっていた。
【考案の開示】
【考案が解決しようとする課題】
【０００３】
前記のように、病院等に使用されるコンプレッサは、水循環式のものが必要であることは勿論であるが、更に、安全性を重視する必要性が高く、特に発錆の生じないものや、生物的，物理的，科学的，化学的の危害の少ない構造のコンプレッサが要請される。このため、コンプレッサの全体構造を安全面や衛生面からすべて見直すことが必要であるが、従来鉄や銅及び青鋼イモノ等を用いていた構成部材をステンレス材とすることがさし当りまず必要である。勿論、前記危害防止用の構成にすべてを変更することは必要である。
【０００４】
本考案は、以上の要請の内、ステンレス材に変更できる部分をステンレス化し、それに伴って可能な限り、安全性，衛生面の向上を図るようにし、かつ水洗時において水の浸入が防止される衛生管理強化型点検容易な水潤滑式オイルフリーコンプレッサを提供することを目的とする。
【課題を解決するための手段】
【０００５】
本考案は、以上の目的を達成するために請求項１の考案は、サニタリ仕様の水循環式コンプレッサであって、該コンプレッサは、エアエンドやこれに付設される構成要素を内部に収納する略密閉式の表面パネルを有するものからなり、前記表面パネルに開口形成されている空気吸入部及び空気出口部にはこれを閉止するフードが着脱可能に固定され、前記フードの開口部は地面側を向いて開口し、前記開口部の近傍にはフィルタが着脱可能に設けられていることを特徴とする。
【０００６】
また、請求項２の考案は、前記エアエンド及び前記構成要素を構成する部品の内、鉄，青銅イモノ，銅からなる部品がステンレス材からなることを特徴とする。
【０００７】
また、請求項３の考案は、前記表面パネル及びフード及びフィルタがステンレス材からなることを特徴とする。
【０００８】
また、請求項４の考案は、前記フィルタが、殺菌処理されたものからなることを特徴とする。
【考案の効果】
【０００９】
請求項１の衛生管理強化型点検容易な水潤滑式オイルフリーコンプレッサによれば、表面パネルの空気吸入部及び空気出口部を塞ぐフードが開口部を下向きに形成するものからなり、水洗時における水の浸入が防止される。
【００１０】
また、請求項２の衛生管理強化型点検容易な水潤滑式オイルフリーコンプレッサによれば、エアエンド等がステンレス材からなり錆防止効果が上げられる。
【００１１】
また、請求項３の衛生管理強化型点検容易な水潤滑式オイルフリーコンプレッサによれば、表面パネルやフードがステンレス材からなり、発錆防止が確実に行われる。
【００１２】
また、請求項４の衛生管理強化型点検容易な水潤滑式オイルフリーコンプレッサによれば、空気の殺菌が行われ、衛生面の向上が図れる。
【考案を実施するための最良の形態】
【００１３】
以下、本考案の衛生管理強化型点検容易な水潤滑式オイルフリーコンプレッサの実施の形態を図面を参照して詳述する。図１は定置式水循環式コンプレッサの外観構造を示すものである。コンプレッサ本体やその附属構成部材は図示のような形状の表面パネル１により被包される。この表面パネル１は例えば長方形状のものからなり、六面の平板からなり、その一部には空気吸入部２と空気出口部３が形成される。本実施例では、前記平板はすべてステンレス板からなる。一方、空気吸入部２や空気出口部３は格子状や網目状のものからなり、これ等もすべてステンレス材から形成される。以上の構造により表面パネル１の発錆度が大幅に低減することになる。
【００１４】
図２は表面パネル１内に収納されている水循環式コンプレッサの構成要素の主なるものをブロック図的に表現したものである。構成要素としては、コンプレッサ本体のエアエンド４と、タンク５と、エアクリーナ６と、フィルタ７と、ドライヤ８と、水クーラ９等とからなり、これ等は配管等１０により、互いに、又は夫々連結されている。これ等の構成要素としては、その外板についてはすべてステンレス材で作成することが可能であるが、内部構造としては機能上、ステンレス材にすることが難しい部材である。本考案は、ステンレス材に変換可能な部分はすべてステンレス材から形成するようにしている。また、配管等１０は、主として銅材やビニール等が使用されているが、銅材の部分はすべてステンレス材にするようにしている。また、エアモード４の中で青鋼イモノからなるものについてもステンレス鋳物を用いるようにしている。以上により、本考案の衛生管理強化型点検容易な水潤滑式オイルフリーコンプレッサは主要部分が全てステンレス材から構成され、発錆防止の効果を大幅に上げることができる。
【実施例１】
【００１５】
図３は本考案の衛生管理強化型点検容易な水潤滑式オイルフリーコンプレッサの１つの実施例を説明する。図１に示したように、表面パネル１の出入口の部分は格子状や網目状の蓋体からなるが、この部分をステンレス化しても塵埃出入防止の効果はなく、かつ殺菌性の効果もない。本実施の形態はこれ等の問題点を解決する１つの実施例を示すものである。即ち、図３（ａ），（ｂ）に示すように表面パネル１の空気出口部３にはこれを覆うステンレスフード１１やステンレスフード１３が設けられている。ステンレスフード１１は両端側や空気入口部２を開口した筒体状のものからなり、基端側の開口部１１ａは空気出口部３に連結され、他端側の開口部１１ｂは大気側に開放される。なお、基端側の開口部１１ａと空気出口部３との間は図略のシール材によりシールされる。一方、ステンレスフード１１の内部には塵埃吸着機能と殺菌機能を有するフィルタ１２が設けられている。このフィルタ１２も母材としてはステンレス材を使用する。以上の構造により、空気出口部３からの空気はステンレスフード１１の中を通り、フィルタ１２により塵埃除去及び殺菌されて他端側の開口部１１ｂから外気側に放出されることになる。また、空気入口部２のステンレスフード１３は下方を開口した箱体状のものからなり、下方を向いた開口部１３ｂにはフィルタ１４が設けられている。また、開口部１３ａは空気入口部２に連結される。
【００１６】
以上のステンレスフード１１，１３は図３（ａ），（ｂ）に示す形状のものに限定するものではない。
【産業上の利用可能性】
【００１７】
本考案の衛生管理強化型点検容易な水潤滑式オイルフリーコンプレッサに適用されるが、勿論これに限定するものではなく、安全性，衛生向上，殺菌性向上を目的とするその他の構成部に対しても同様に広く適用される。
【図面の簡単な説明】
【００１８】
【図１】本考案の水循環式コンプレッサの表面パネルの概要構造を示す斜視図。
【図２】水循環式コンプレッサの表面パネル内部に収納されている構成要素を示すブロック図。
【図３】本考案の表面パネルに連結されているフードの構造を示す模式図。
【符号の説明】
【００１９】
１      表面パネル
２      空気吸入部
３      空気出口部
４      エアエンド
５      タンク
６      エアクリーナ
７      フィルタ
８      ドライヤ
９      水クーラ
１０    配管等
１１    ステンレスフード
１１ａ  開口部
１１ｂ  開口部
１２    フィルタ
１３    ステンレスフード
１３ａ  開口部
１３ｂ  開口部
１４    フィルタ
【手続補正３】
【補正対象書類名】図面
【補正対象項目名】図３
【補正方法】変更
【補正の内容】
【図３】
0003103372.tif 000006